(57)【要約】  本発明は文具類を収納する収納箱が備えられた筆入れにおいて、筆入れに備えられるマイクロコントローラ（１０、Ｍｉｃｒｏ  Ｃｏｎｔｒｏｌｌｅｒ）と、マイクロコントローラ（１０）に連結されて、入力手段として用いられ、使用者のタッチ信号を感知する複数のタッチボタン（２０）と、マイクロコントローラ（１０）と連結されて、タッチボタン（２０）のタッチ信号によって反応して光信号を出力する複数のＬＥＤ（３０）と、マイクロコントローラ（１０）に電源を供給する電源装置（４０）とを含んで構成されることを特徴とするタッチ機能を備える筆入れに関する。
2013535271.tif 000002
【特許請求の範囲】
【請求項１】
文具類を収納する収納箱が備えられた筆入れにおいて、
前記筆入れに備えられるマイクロコントローラ（１０、Ｍｉｃｒｏ  Ｃｏｎｔｒｏｌｌｅｒ）と、
前記マイクロコントローラ（１０）に連結されて、入力手段として用いられ、使用者のタッチ信号を感知する複数のタッチボタン（２０）と、
前記マイクロコントローラ（１０）と連結されて、前記タッチボタン（２０）のタッチ信号によって反応して光信号を出力する複数のＬＥＤ（３０）と、
前記マイクロコントローラ（１０）に電源を供給する電源装置（４０）とを含んで構成されることを特徴とするタッチ機能を備える筆入れ。
【請求項２】
前記タッチボタン（２０）にタッチ信号が感知されると、前記複数のＬＥＤ（３０）の中の少なくとも二つのＬＥＤ（３０）に電源が付けられて、複数の電源が付いたＬＥＤ（３０）がパターンを表出することを特徴とする請求項１に記載のタッチ機能を備える筆入れ。
【請求項３】
前記筆入れを開閉するために用いられる前記マイクロコントローラ（１０）に連結された電子式ロック装置（５０）をさらに含んで構成され、
前記電子式ロック装置（５０）はマイクロコントローラ（１０）の開放信号によって開放されることを特徴とする請求項１に記載のタッチ機能を備える筆入れ。
【請求項４】
前記筆入れのマイクロコントローラ（１０）に連結された小型の振動モーター（８０）がさらに備えられ、
前記振動モーター（８０）はタッチボタン（２０）がタッチされる時オンになって、振動信号を発生することを特徴とする請求項１に記載のタッチ機能を備える筆入れ。
【請求項５】
前記電源装置（４０）はバッテリーであり、補助手段として前記筆入れの外面または筆入れの蓋の上面に太陽電池（６０）をさらに備えることを特徴とする請求項１に記載のタッチ機能を備える筆入れ。
【請求項６】
ＵＳＢ接続端子をさらに含んで構成され、ＵＳＢ（７０）を通じてマイクロコントローラ（１０）にデータの入出力が可能に構成されることを特徴とする請求項１に記載のタッチ機能を備える筆入れ。
【請求項７】
前記ＬＥＤ（３０）はタッチボタン（２０）と同じ位置にそれぞれ一つずつ備えられることを特徴とする請求項２に記載のタッチ機能を備える筆入れ。
【請求項８】
動画プレーヤーまたは絵カードの中で選択された少なくとも一つがさらに備えられ、
映像出力手段としてマイクロコントローラ（１０）に連結されたＬＣＤ（９０）がさらに備えられることを特徴とする請求項１に記載のタッチ機能を備える筆入れ。
【請求項９】
音声ファイルを再生するＭＰ３プレーヤー（１１０）と、前記ＭＰ３プレーヤー（１１０）によって再生された音声信号を出力するスピーカー（１２０）とが備えられることを特徴とする請求項１に記載のタッチ機能を備える筆入れ。
【請求項１０】
前記筆入れを開閉するために用いられる前記マイクロコントローラ（１０）に連結された電子式ロック装置（５０）をさらに含んで構成され、
前記電子式ロック装置（５０）は、マイクロコントローラ（１０）に予め設定された情報（パスワード）と、タッチボタン（２０）によって入力された入力情報とが一致する場合開放されることを特徴とするタッチ機能を備える筆入れ。
【発明の詳細な説明】
【技術分野】
【０００１】
本発明は文具類を収納する収納箱が備えられた筆入れにおいて、筆入れに備えられるマイクロコントローラと、マイクロコントローラ（Ｍｉｃｒｏ  Ｃｏｎｔｒｏｌｌｅｒ）に連結されて、入力手段として用いられ、使用者のタッチ信号を感知する複数のタッチボタンと、マイクロコントローラと連結されて、タッチボタンのタッチ信号によって反応して光信号を出力する複数のＬＥＤと、マイクロコントローラに電源を供給する電源装置とを含んで構成されることを特徴とするタッチ機能を備える筆入れに関する。
【背景技術】
【０００２】
従来には、筆入れに収納された筆記具や消しゴムを取り出すためには、筆入れに形成された蓋を開閉するように構成している。このような構成の中で、磁石式筆入れとして韓国実用新案に公告された公告番号１９８２−００００１７６は筆入れの外周面に磁石を挿入して、蓋には金属を付着して開閉するように構成したもので、ただ鉛筆やボールペンのような筆記具と消しゴムなどを入れて携帯することができるようにする最も基本的な文房具で、筆記具が収納される収納体と蓋のみで構成された最も単純な形態の１段筆入れから筆記具収納空間が小さい上記１段筆入れの短所を解決するために開発された２段また３段筆入れがあり、上記のような各筆入れが有する単純な筆記具収納手段であるという役割から単調であるという問題を解決し、子供たちの興味を誘発するために、各筆入れにバスケットボールゲーム、サッカーゲーム、ボーリングゲームなど多様なゲームやその他開発された。
【０００３】
しかし、生活水準の向上に伴って、コンピューターと各種ゲーム機が広く普及されることによって、単純な娯楽機能が付加された筆入れには関心を持たず、基本的に子供たちは新しい物に対して容易に興味を持つようになるが、容易に興味を失ってしまう傾向があるため、従来のような単純な娯楽機能を有する筆入れでは使用者の興味をほとんど引くことができない実情である。
【０００４】
従って、使用者の関心を引くために、従来の筆入れに新しい機能を付加するために電子ゲーム機が付加された筆入れが韓国実用新案登録第３５３６６７号と韓国実用新案登録第３８０２６１号に公開されたが、その構造が複雑で、ゲーム機を作動するためのゲーム操作ボタン部やディスプレーなどが筆入れに着脱式に結合されて、構造が複雑であるだけではなく、紛失される虞があり、また、高価であって購入が困難であった。
【発明の概要】
【発明が解決しようとする課題】
【０００５】
本発明は、ボタンがタッチされると、ＬＥＤが多様なパターンを出力して、ロック装置の解除信号の正当か否かをＬＥＤパターンで表出して、子供の科学的興味を誘発させ、使用の便利性を図ることができるタッチ機能を備える筆入れに関する。
【課題を解決するための手段】
【０００６】
本発明は文具類を収納する収納箱が備えられた筆入れにおいて、前記筆入れに備えられるマイクロコントローラ１０と、前記マイクロコントローラ１０に連結されて、入力手段として用いられ、使用者のタッチ信号を感知する複数のタッチボタン２０と、前記マイクロコントローラ１０と連結されて、前記タッチボタン２０のタッチ信号によって反応して光信号を出力する複数のＬＥＤ３０と、前記マイクロコントローラ１０に電源を供給する電源装置４０とを含んで構成されることを特徴とするタッチ機能を備える筆入れに関する。
【発明の効果】
【０００７】
本発明による場合、ボタンがタッチされると、ＬＥＤが多様なパターンを出力して、ロック装置の解除信号の正当の否かをＬＥＤパターンで表出して、子供の科学的興味を誘発させ、使用の便利性を図ることができるタッチ機能を備える筆入れが提供される。
【図面の簡単な説明】
【０００８】
【図１】本発明の一実施例によるタッチ機能を備える筆入れの構成図である。
【図２】本発明の実施例によるタッチ機能を備える筆入れの斜視図である。
【図３】本発明の実施例によるタッチ機能を備える筆入れの構成図である。
【図４】本発明の一実施例によるタッチ機能を備える筆入れの正面図、平面図、側面図である。
【発明を実施するための形態】
【０００９】
以下で、本発明の一実施例によるタッチ機能を備える筆入れについて添付される図面を通じて詳しく説明する。図１は本発明の一実施例によるタッチ機能を備える筆入れの構成図で、図２は本発明の実施例によるタッチ機能を備える筆入れの斜視図で、図３は本発明の実施例によるタッチ機能を備える筆入れの構成図で、図４は本発明の一実施例によるタッチ機能を備える筆入れの正面図、平面図、側面図である。
【００１０】
図１に示したように、本発明の一実施例によるタッチ機能を備える筆入れは、文具類を収納する収納箱が備えられた筆入れにおいて、上記筆入れに備えられるマイクロコントローラ１０と、上記マイクロコントローラ１０に連結されて、入力手段として用いられ、使用者のタッチ信号を感知する複数のタッチボタン２０と、上記マイクロコントローラ１０と連結されて、上記タッチボタン２０のタッチ信号によって反応して光信号を出力する複数のＬＥＤ３０と、上記マイクロコントローラ１０に電源を供給する電源装置４０とを含んで構成される。
【００１１】
図１に示したように、本発明の一実施例によるタッチ機能を備える筆入れにおいて、タッチボタン２０にタッチ信号が感知されると、上記複数のＬＥＤ３０の中の少なくとも二つのＬＥＤ３０に電源が付けられて、複数の電源が付いたＬＥＤ３０がパターンを表出することが好ましい。
【００１２】
図１に示したように、本発明の一実施例によるタッチ機能を備える筆入れにおいて、筆入れを開閉するために用いられる上記マイクロコントローラ１０に連結された電子式ロック装置５０をさらに含んで構成され、上記電子式ロック装置５０はマイクロコントローラ１０の開放（ＯＰＥＮ）信号によって開放される。
【００１３】
図１に示したように、本発明の一実施例によるタッチ機能を備える筆入れにおいて、筆入れを開閉するために用いられる上記マイクロコントローラ１０に連結された電子式ロック装置５０をさらに含んで構成されることが好ましい。電子式ロック装置５０は、マイクロコントローラ１０に予め設定された情報（パスワード）と、タッチボタン２０によって入力された入力情報とが一致した場合開放される。
【００１４】
図１に示したように、本発明の一実施例によるタッチ機能を備える筆入れにおいて、上記筆入れにマイクロコントローラ１０に連結された小型の振動モーター８０がさらに備えられ、上記振動モーター８０はタッチボタン２０がタッチされる時オン（ＯＮ）になって、振動信号を発生することが好ましい。
【００１５】
図１に示したように、本発明の一実施例によるタッチ機能を備える筆入れにおいて、電源装置４０はバッテリーであり、補助手段として上記筆入れの外面または筆入れの蓋の上面に太陽電池６０をさらに備えることが好ましい。
【００１６】
図１に示したように、本発明の一実施例によるタッチ機能を備える筆入れにおいて、ＵＳＢ接続端子をさらに含んで構成され、ＵＳＢ７０を通じてマイクロコントローラ１０にデータの入出力が可能に構成されることが好ましい。
【００１７】
本発明の一実施例によるタッチ機能を備える筆入れにおいて、ＬＥＤ３０はタッチボタン２０と同じ位置にそれぞれ一つずつ備えられることが好ましい。
【００１８】
図１に示したように、本発明の一実施例によるタッチ機能を備える筆入れにおいて、動画プレーヤーまたは絵カードの中で選択された少なくとも一つがさらに備えられ、映像出力手段としてマイクロコントローラ１０に連結されたＬＣＤ９０がさらに備えられることが好ましい。
【００１９】
図１に示したように、本発明の一実施例によるタッチ機能を備える筆入れにおいて、音声ファイルを再生するＭＰ３プレーヤー１１０と、上記ＭＰ３プレーヤー１１０によって再生された音声信号を出力するスピーカー１２０とが備えられることが好ましい。
【００２０】
以下で、本発明の実施例について簡略に説明する。科学技術の進歩によって、ＩＴ技術は生活道具に漸次に融合され、生活の便利のために多様なＩＴ応用技術が要求されている。筆入れは多くの学生が所持しており、社会の急速な発展によって、ＩＴ技術が融合された多様な機能をすることができる高級電子筆入れが要求されている。
【００２１】
図２、図３及び図４に示したように、本発明（デジタル筆入れ）は既存の筆入れにＩＴ技術を融合して便利な機能を具現した先端文具製品で、マイクロコントロールチップが内装されて、多様な機能を提供する。デジタル筆入れには、マイクロコントロールチップ、ＬＣＤ、ＬＥＤ、ソレノイド、振動モーター、スピーカー、タッチ機能キーボタン、太陽電池、ＭＰ３など多様な電子装置が内装されている。
【００２２】
電子デジタルキーが備えられた筆入れはパスワードによって筆入れの蓋を開閉することができる。電子ロック装置を有するデジタル筆入れは、筆入れの中にプライベートメモや高価の筆記具などを保管することができる。ＬＥＤが付着されたタッチ数字キーには美しい明りが現われ、ハート模様の多様なデザインを具現することができる。ＩＴ融合デジタル筆入れは、太陽電池を利用してバッテリーの使用時間を延長することができ、ＭＰ３、英単語帳、電卓机、ゲーム機能など多様な機能を具現することができる。
【００２３】
ＩＴ融合デジタル筆入れは、電子デジタルキーが備えられていて、パスワードによって筆入れの蓋を開閉することができる。
【００２４】
ＬＣＤディスプレーを利用して電卓机、英単語暗記帳など多様な機能を提供する。小型ソレノイドコントロール機能を利用してロック装置を制御することができる。マイクロコントローラのパワーダウン（Ｐｏｗｅｒ  Ｄｏｗｎ）及びアイドルモード（Ｉｄｌｅ  Ｍｏｄｅ）機能を利用した最小電力消耗コントロール技術を適用して、バッテリーを長時間使用することができるように具現することができる。
【００２５】
＜実施例＞
デジタル筆入れ仕様
図５〜図７を通じて説明する。
＊機能要約
−パスワードを入力して蓋を開く：パスワード４桁を入力すると、ドアロックが解除される
（開き時間１秒）
−パスワードの変更：パスワード変更機能
−パスワードの初期化：パスワード初期化機能
−パスワードの設定及び解除：解除時、スタートキーを押すと、直ちにドアロックが解除される（筆入れ蓋が開かれる）
−タッチボタンの振動の設定及び解除：タッチボタン押し認識用振動モーターの動作を設定する
−ＬＥＤの電源を付けた状態で対応するタッチボタンを押すと、そのＬＥＤのみ２回点滅する
−パスワードに正しい時のＬＥＤパターン、モード変更時のＬＥＤパターン、モード設定時のＬＥＤパターン、初期化時のＬＥＤパターン、パスワード変更時のＬＥＤパターン
−パスワードが間違う・モード設定が間違う時のＬＥＤパターン
−２０秒間キー入力しない場合、スリップモードに進入する
−スリップモードで＃ボタンを押すと、スリップモードが解除する
【００２６】
【表１】
2013535271.tif 000003
【００２７】
本発明は上記で言及した好ましい実施例によって説明されたが、本発明の範囲がこのような実施例に限定されず、本発明の範囲は特許請求範囲によって定められるもので、本発明と均等な範囲に属する多様な修正及び変形を含む。
【００２８】
本発明は文具類を収納する収納箱が備えられた筆入れにおいて、上記筆入れに備えられるマイクロコントローラ１０と、上記マイクロコントローラ１０に連結されて、入力手段として用いられ、使用者のタッチ信号を感知する複数のタッチボタン２０と、上記マイクロコントローラ１０と連結されて、上記タッチボタン２０のタッチ信号によって反応して光信号を出力する複数のＬＥＤ３０と、上記マイクロコントローラ１０に電源を供給する電源装置４０とを含んで構成されることを特徴とするタッチ機能を備える筆入れに関する。
【産業上の利用可能性】
【００２９】
本発明による場合、ボタンがタッチされると、ＬＥＤが多様なパターンを出力して、ロック装置の解除信号の正当か否かをＬＥＤパターンで表出し、子供の科学的興味を誘発させ、使用の便利性を図ることができるタッチ機能を備える筆入れが提供される。
【符号の説明】
【００３０】
１０  マイクロコントローラ
２０  タッチボタン
３０  ＬＥＤ
４０  電源装置
５０  電子式ロック装置
６０  太陽電池
７０  ＵＳＢ
８０  振動モーター
９０  ＬＣＤ
１１０  ＭＰ３プレーヤー
１２０  スピーカー
【図１】
2013535271.tif 000004
【図２】
2013535271.tif 000005
【図３】
2013535271.tif 000006
【図４】
2013535271.tif 000007
【図５】
2013535271.tif 000008
【図６】
2013535271.tif 000009
【図７】
2013535271.tif 000010
【国際調査報告】
2013535271.tif 000011
2013535271.tif 000012
2013535271.tif 000013
2013535271.tif 000014